(57)【要約】【課題】外部接続端子を保護する端子キャップ部材を開き状態で維持することで、外部接続端子使用時の操作性を損なわない端子キャップ部材を提供すること。【解決手段】電子機器に備えられる外部接続端子（１０４，１０５）を覆う端子キャップ部材（１０２）において、前記端子キャップ部材（１０２）は、外部接続端子（１０４，１０５）を覆う扉部（１０２ａ）と、前記扉部（１０２ａ）に対し略垂直に延びた引出部（１０２ｂ）を持ち、前記引出部（１０２ｂ）は、先端に電子機器に係止させるための係止部（１０２ｇ）と、略対向する面に、開状態を維持するための保持部（１０２ｈ）を持つことを特徴とする構成とした。【選択図】図２
2020056860.tif 000002
【特許請求の範囲】
【請求項１】
電子機器に備えられる外部接続端子を覆う端子キャップ部材において、前記端子キャップ部材は、外部接続端子を覆う扉部と、前記扉部に対し垂直に延びた引出部を持ち、前記引出部は、先端に電子機器に係止させるための係止部と、対向する面に、開状態を維持するための保持部を持つことを特徴とする端子キャップ部材。
【請求項２】
前記保持部は、端子キャップ部材を開状態から閉状態に移行する際、前記保持部と平行な形状を有した支持部と当接することで、不用意に閉状態になる事を防止することを特徴とする請求項１に記載の端子キャップ部材。
【請求項３】
前記引出部は、複数の屈曲部を持つことを特徴とする請求項１に記載の端子キャップ部材。
【請求項４】
電子機器に備えられる外部接続端子を覆う端子キャップ部材において、前記端子キャップ部材は、外部接続端子を覆う扉部と、前記扉部に対し垂直に延びた引出部を持ち、前記扉部は垂直に突出した突起部を持ち、前記引出部を折り曲げた際に、前記突起部に挿入可能な貫通穴が開いていることを特徴とする端子キャップ部材。
【請求項５】
前記突起部を貫通穴に挿入した際、扉部が端子を覆わない位置で保持可能とすることを特徴とする請求項４に記載の端子キャップ部材。
【請求項６】
前記突起部を挿入するための貫通穴は、電子機器を覆う端子カバーに設けられていることを特徴とする請求項４に記載の端子キャップ部材。
【発明の詳細な説明】
【技術分野】
【０００１】
本発明は、デジタルカメラ等の電子機器の外部接続端子を保護する端子キャップ部材に関する。
【背景技術】
【０００２】
多くの電子機器（デジタルカメラ等）は、ＨＤＭＩ（登録商標）端子やマイク端子等の外部機器接続端子を備えている。外部機器接続端子を保護するために、端子キャップ部材（蓋）が電子機器の外側に設けられる。このような端子キャップ部材の開閉機構として、特許文献１に記載されたような構成が知られている。特許文献１のカバー機構は、蓋が開状態にされたときヒンジが引き出される構成である。
【先行技術文献】
【特許文献】
【０００３】
【特許文献１】特開２０１１−２０９５５８号公報
【発明の概要】
【発明が解決しようとする課題】
【０００４】
しかしながら、特許文献１に記載のような従来の開閉機構では、使用者が指等で端子キャップ部材の開状態を保持しなければ、開状態が充分に維持されない恐れがある。そのため使用者が外部機器を接続する際の操作が煩雑であり、利便性がよくないという問題があった。例えば、使用者が外部接続端子にケーブルを接続するとき、使用者が一方の手で端子キャップ部材の開状態を維持しながら、他方の手でケーブルを外部端子に接続しなければならない。このような操作は、使用者にとって大きな負担であった。
【０００５】
本発明はこの問題を鑑みてなされたものであり、その目的は、端子キャップ部材の開状態がより充分に維持される端子キャップ部材を提供することにある。
【課題を解決するための手段】
【０００６】
上記の目的を達成するために、本発明に係る端子キャップ部材は、
電子機器に備えられる外部接続端子を覆う端子キャップ部材において、前記端子キャップ部材は、外部接続端子を覆う扉部と、前記扉部に対し略垂直に延びた引出部を持ち、前記引出部は、先端に電子機器に係止させるための係止部と、略対向する面に、開状態を維持するための保持部を持つことを特徴とする。
【発明の効果】
【０００７】
本発明によれば、外部接続端子を保護する端子キャップ部材を開き状態で維持することで、外部接続端子使用時の操作性を損なわない端子キャップ部材の提供を実現できる。
【図面の簡単な説明】
【０００８】
【図１】本発明の第１の実施例となるデジタルカメラの斜視図
【図２】本発明の第１の実施例となる端子キャップ開状態の斜視図
【図３】本発明の第１の実施例となる端子キャップ部材の斜視図
【図４ａ】本発明の第１の実施例となる端子キャップ閉状態の断面図
【図４ｂ】本発明の第１の実施例となる端子キャップ開状態の断面図
【図５】本発明の第２の実施例となる端子キャップ部材の斜視図
【図６】本発明の第２の実施例となる端子キャップ部材が折り畳まれた状態の斜視図
【発明を実施するための形態】
【０００９】
以下、本発明を実施するための形態について、図面を参照しながら説明する。
【実施例１】
【００１０】
図１は、本発明の電子機器の実施形態の一例である撮像装置（デジタルカメラ）を背面側から見た斜視図である。
【００１１】
１０１はデジタルカメラ本体、１０２は端子キャップ部材、１０３は外装部材である。端子キャップ部材１０２は弾性の材料で形成されており、端子キャップ閉状態で後述の外部接続端子を覆ってデジタルカメラ１０１側面部の外観面を形成する。外装部材１０３は樹脂等で形成されており、複数に分割されてデジタルカメラ１０１の筐体にビス等で固定されている。
【００１２】
図２に、本実施例における端子キャップ部材１０２が、開状態の斜視図を示す。
【００１３】
１０４、１０５は不図示のプリント基板に実装された外部接続端子である。前記端子キャップ部材１０２は、外部接続端子１０４、１０５を覆っており、後述する係止構造によって、デジタルカメラ１０１より引出可能な構成となっている。
【００１４】
また、前記外部接続端子１０４、１０５の外周を囲うように、樹脂等で形成された端子カバー１０６がデジタルカメラの筐体に対してビスで固定されており、端子キャップ開状態で、端子カバー１０６はデジタルカメラ側面部の外観面を形成する。このとき、端子カバー１０６は外装部材１０３で形成しても良い。
【００１５】
外部接続端子１０４、１０５は、不図示のケーブルコネクタが接続される。外部接続端子としては、外部映像デバイスに接続するためのアナログビデオ端子、外部直流電源に接続するための電源端子、ＰＣ等に接続するためのデジタル端子等が挙げられる。
【００１６】
図３を参照し、本実施例における端子キャップ部材１０２の構成について説明する。
【００１７】
端子キャップ部材１０２は、前述の通り、端子キャップ閉状態でデジタルカメラ１０１側面部の外観面を形成しており、扉部１０２ａは外部接続端子１０４、１０５を覆う外観面になる。前記扉部１０２ａからは、前記扉部１０２ａに対し略垂直方向に延出された引出部１０２ｂと、前記扉部１０２ａから垂直方向に突出した複数の突起部１０２ｃ、１０２ｄが設けられている。前記突起部１０２ｃ、１０２ｄは、端子キャップ閉状態において、それぞれ外部接続端子１０４、１０５の開口部に挿通される。
【００１８】
扉部１０２ａには、端子カバー１０６に当接する事で水滴やホコリの侵入を防止する役割をもつ防塵防滴リブ１０２ｅが、突起部１０２ｃ、１０２ｄを囲うようにリブ状に形成され、その外周には、円筒状の複数の圧入突起部１０２ｆが設けられている。前記圧入突起部１０２ｆは、端子キャップ閉状態において、端子カバー１０６に対して圧入される。これにより、端子キャップ部材１０２は端子カバー１０６と位置決めされ、さらに、端子キャップ部材１０２が容易に外れることがない構成となっている。
【００１９】
引出部１０２ｂの先端には、係止部１０２ｇが突出しており、前記端子キャップ１０２が引き出された際、係止部１０２ｇにより係止される。前記係止部１０２ｇと略対向する位置には、保持部１０２ｈが形成されている。前記保持部１０２ｈは、後述する支持部に対し、端子キャップ開状態において当接する事により、不用意に閉状態になる事を防止できる。
【００２０】
図４ａ、図４ｂを参照し、端子キャップ部材１０２開閉時の状態を説明する。図４ａ、図４ｂは、係止部１０２ｇと後述する支持部を通るように切断した断面図である。
【００２１】
図４ａは、端子キャップ部材１０２が閉状態の断面図である。防塵防滴リブ１０２ｅが端子カバー１０６の対抗する面に当接した状態で保持されている。これにより、水滴やホコリの侵入を防いでいる。また、端子キャップ閉状態で引出部１０２ｂは他部品との干渉を避けるために、複数の屈曲部１０２ｉ、１０２ｊを有している。
図４ｂは、端子キャップ部材１０２が開状態の断面図である。
【００２２】
端子カバー１０６には、端子キャップ部材１０２の引出部先端に設けられた係止部１０２ｇを係止するための突起部１０６ａが設置されている。これにより、前記係止部１０２ｇが、突起部１０６ａに係止されるまで端子キャップ部材１０２を所定量引き出すことが可能となる。
【００２３】
また、係止部１０２ｇと略対向する位置には、保持部１０２ｈを有し、端子キャップ部材１０２が開状態から閉状態に移行する前に接触する位置に、外部機器接続１０３に構成される、支持部１０３ａが設けられている。前記保持部１０２ｈが前記支持部１０３ａに当接する事で、端子キャップ部材１０２が不用意に閉状態になる事を防止できる。
【００２４】
この構成によって、端子キャップ部材１０２が使用者の意思に反し閉状態になる事を防止でき、外部接続端子１０４、１０５を使用することがより容易になる。
【００２５】
端子キャップ部材１０２を開状態から閉状態へ移行させるには、指等で端子キャップ部材１０２をデジタルカメラ１０１へ押し込むことで引出部１０２ｂが弾性変形し、支持部１０３ａを乗り越える事ができる。また、前記支持部１０３ａは前記保持部１０２ｈと略平行な斜面を形成している。これにより、閉状態にするために端子キャップ部材１０２へ加える力を軽減することができ、容易に閉状態に移行できる。
【実施例２】
【００２６】
以下に、好ましい実施例２を、添付の図面に基づいて詳細に説明する。
【００２７】
図５は、本実施例の端子キャップ部材２０２の斜視図である。なお、基本的な構成は第１の実施例で説明したものと同様であり、ここでは相違点を中心に説明するとともに、重複する説明は省略する。
【００２８】
端子キャップ部材２０２の引出部２０２ａには、一方向に貫通した貫通穴２０２ｂを有している。前記貫通穴２０２ｂは、扉部２０２ｃから垂直に突出している突起部２０２ｄ、もしくは突起部２０２ｅが圧入可能な大きさで形成されている。前記突起部２０２ｄ、２０２ｅは、不図示の外部端子へ挿通させるためでも良いし、前記貫通穴２０２ｂへ挿通させるためだけの目的であっても良い。前記貫通穴２０２ｂに前記突起部２０２ｄ、もしくは突起部２０２ｅが圧入されることで、引出部２０２ａは折り曲げられた状態を保持できる。
【００２９】
また、貫通穴２０２ｂは端子カバー１０６に設けても良い。これにより、引出部２０２ａの強度低下を防止できる。
【００３０】
図６は、前記貫通穴２０２ｂに前記突起部２０２ｅが圧入保持された状態を示す。
【００３１】
この時、扉部１０２ｃは、外部接続端子１０４、１０５の鉛直線上を避ける位置で維持される。
【００３２】
この構成によって、端子キャップ部材２０２が開いた状態をより充分に維持したまま、使用者の外部接続端子１０４、１０５へのアクセスがより容易になる。
【００３３】
以上、本発明の好ましい実施形態について説明したが、本発明はこれらの実施形態に限定されず、その要旨の範囲内で種々の変形及び変更が可能である。
【符号の説明】
【００３４】
１０１  デジタルカメラ、１０２  端子キャップ部材、１０２ａ  扉部、
１０２ｂ  引出部、１０２ｃ，１０２ｄ  突起部、１０２ｅ  防塵防滴リブ、
１０２ｆ  圧入突起部、１０２ｇ  係止部、１０２ｈ  保持部、
１０２ｉ，１０２ｊ  屈曲部、１０３  外装部材、１０３ａ  支持部、
１０４、１０５  外部接続端子、１０６  端子カバー、１０６ａ  突起部
【図１】
2020056860.tif 000003
【図２】
2020056860.tif 000004
【図３】
2020056860.tif 000005
【図４ａ】
2020056860.tif 000006
【図４ｂ】
2020056860.tif 000007
【図５】
2020056860.tif 000008
【図６】
2020056860.tif 000009